【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
医療行為中に患者を支持するための装置であって、
ａ）第１および第２の向き合った端部支持体と、
ｂ）第１および第２の患者支持体であって、前記端部支持体の夫々１つに枢動可能に接続される外端と、内端と、をそれぞれ有し、前記内端が非接合関節連結で空間的に関連付けられた、第１および第２の患者支持体と
を備え、
ｃ）前記第１および第２の端部支持体の少なくとも一方は、前記患者支持体の一方を、その端部支持体に対して複数の角度配向で位置決めするように作動可能な支持アクチュエータ機構を備え、
前記装置は、更に、
ｄ）前記第１および第２の患者支持体の一方と係合する患者並進器であって、前記並進器を前記患者支持体に沿って選択的に位置決めするように作動可能な並進器アクチュエータ機構を有する患者並進器を備える
装置。
【請求項２】
医療行為中に患者を支持するための装置であって、
ａ）第１および第２の向き合った端部支持体と、
ｂ）第１および第２の患者支持体であって、前記端部支持体の夫々１つに枢動可能に接続される外端と、内端と、を夫々有し、前記内端が非接合関節連結で空間的に関連付けられた、第１および第２の患者支持体と
を備え、
ｃ）前記第１および第２の端部支持体の少なくとも一方は、前記患者支持体の一方を、その端部支持体に対して複数の角度配向で位置決めするように作動可能な角度アクチュエータを備え、
ｄ）前記角度アクチュエータは、前記角度配向を感知し、伝達するための関連する角度センサを備え、
前記装置は、更に、
ｅ）前記第１および第２の患者支持体の一方と係合する患者胴部並進器であって、前記胴部並進器を前記患者支持体に沿って選択的に位置決めするように作動可能な胴部アクチュエータを有する患者胴部並進器を備え、
前記胴部アクチュエータは、位置データを感知し、伝達するための胴部センサを備え、
前記装置は、更に、
ｆ）角度配向および位置データを受け取り、前記角度配向の変化に応じて前記胴部アクチュエータに胴部アクチュエータ制御信号を送出し、それによって、前記胴部並進器の位置を前記角度配向と調和させるために、前記アクチュエータおよび前記センサに接続されたコンピュータを備える
装置。
【請求項３】
請求項２に記載の患者支持装置であって、
ａ）前記第１および第２の端部支持体のうちの少なくとも一方は、夫々の患者支持体を上下するように作動可能なリフト機構を備え、
ｂ）前記リフト機構は、患者支持体高さを感知し、伝達するための関連する高さセンサを備え、
ｃ）前記コンピュータは、高さのデータを受け取り、前記高さの変化に応じてリフト制御信号を前記胴部アクチュエータに送出し、それによって、前記胴部並進器の位置を選択された持ち上げ作業と調和させるために、前記リフト機構および前記高さセンサに接続される
患者支持装置。
【請求項４】
請求項３に記載の患者支持装置であって、
ａ）前記第１および第２の端部支持体のうちの少なくとも一方は、夫々の患者支持体を傾斜するように作動可能なロール機構を備え、
ｂ）前記ロール機構は、前記患者支持体の傾斜配向を感知し、伝達するための関連する傾斜センサを備え、
ｃ）前記コンピュータは、傾斜配向データを受け取り、前記傾斜配向の選択された変化に応じてロール制御信号を前記胴部アクチュエータに送出し、それによって、前記胴部並進器の位置を前記傾斜配向と調和させるために、前記ロール機構および前記傾斜センサに接続される
患者支持装置。
【請求項５】
請求項２に記載の患者支持装置であって、
ａ）前記患者支持体の各々は、前記端部支持体と夫々係合する一対の支持桁を備え、
ｂ）前記角度アクチュエータは、各桁と、関連する端部支持体と、の間において係合する角度アクチュエータの夫々を備え、
ｃ）前記角度アクチュエータの各々は、関連する支持桁の、その端部支持体に対する角度配向を感知し、伝達するための角度センサを夫々備え、
ｄ）前記コンピュータは、角度配向データを受け取り、前記角度配向の変化に応じて前記胴部アクチュエータ制御信号を前記胴部アクチュエータに送出し、それによって、前記胴部並進器の位置を前記角度配向と調和させるために、前記アクチュエータおよび前記センサに接続される
患者支持装置。
【請求項６】
請求項５に記載の患者支持装置であって、
前記胴部並進器は、前記胴部並進器を前記支持桁に沿って移動させるために、前記支持桁上で摺動される一対の向き合った支持ガイドを備える
患者支持装置。
【請求項７】
請求項６に記載の患者支持装置であって、
前記胴部並進器は、
ａ）前記支持ガイド間に接続される横桁と、
ｂ）前記横桁に設けられる患者胸骨支持体と
を備える患者支持装置。
【請求項８】
請求項７に記載の患者支持装置であって、
前記胴部並進器は、前記支持ガイド間に接続される患者頭部支持体を備える
患者支持装置。
【請求項９】
請求項２に記載の患者支持装置であって、
前記胴部並進器は、前記患者支持装置から取り外し可能に構成された
患者支持装置。
【請求項１０】
医療行為中に患者を支持するための装置であって、
ａ）第１および第２の向き合った端部支持体と、
ｂ）第１および第２の患者支持体であって、前記端部支持体の夫々の１つに枢動可能に接続される外端と、内端と、をそれぞれ有し、前記内端が非接合関節連結で空間的に関連付けられた第１および第２の患者支持体と
を備え、
ｃ）前記第１および第２の端部支持体のうちの少なくとも一方は、
前記患者支持体の一方を、その端部支持体に対して複数の角度配向で位置決めするように作動可能な角度アクチュエータと、
夫々の患者支持体を傾斜するように作動可能なロール機構と、
夫々の患者支持体を上下するように作動可能なリフト機構と
を備え、
ｄ）前記角度アクチュエータは、前記角度配向を感知し、伝達するための角度センサを備え、
前記ロール機構は、前記傾斜配向を感知するための傾斜センサを備え、
ｅ）前記リフト機構は、夫々の患者支持体の高さを感知し、伝達するための高さセンサを備え、
前記装置は、更に、
ｆ）前記第１および第２の患者支持体のうちの一方と係合する患者胴部並進器であって、前記胴部並進器を前記患者支持体に沿って選択的に位置決めするように作動可能な胴部アクチュエータを有する患者胴部並進器を備え、
前記胴部アクチュエータは、位置データを感知し、伝達するための胴部センサを備え、
前記装置は、更に、
ｇ）角度配向、傾斜配向、高さデータおよび位置データを受け取り、前記角度配向、傾斜配向および患者支持体の高さの変化に応じて、胴部アクチュエータ制御信号を前記胴部アクチュエータに送出し、それによって、前記胴部並進器の位置を前記角度配向、傾斜配向および選択された持ち上げ作業と調和させるために、前記アクチュエータ、前記機構および前記センサに接続されるコンピュータを備える
装置。
【請求項１１】
請求項１０に記載の患者支持装置であって、
ａ）前記患者支持体の各々は、一対の支持桁を備え、
ｂ）前記胴部並進器は、前記胴部並進器を前記支持桁に沿って移動させるために、前記支持桁の夫々の対上で摺動される、一対の向き合った支持ガイドを備える
患者支持装置。
【請求項１２】
請求項１１に記載の患者支持装置であって、
前記胴部並進器は、更に、
ａ）前記支持ガイド間に接続される横桁と、
ｂ）前記横桁上に設けられる患者胸骨支持体と
を備える患者支持装置。
【請求項１３】
請求項１１に記載の患者支持装置であって、
前記胴部並進器は、更に、前記支持ガイド間に接続される患者頭部支持体を備える
患者支持装置。
【請求項１４】
請求項１１に記載の患者支持装置であって、
前記胴部並進器は、
ａ）腕支持体を備え、
ｂ）前記腕支持体の各々は、前記患者支持体から取り外されたときに前記胴部並進器を支持するためのスタンドを備える
患者支持装置。
【請求項１５】
請求項１０に記載の患者支持装置であって、
前記胴部並進器は、前記患者支持装置から取り外し可能に構成された
患者支持装置。
【請求項１６】
医療行為中に患者を支持するための装置であって、
ａ）第１および第２の向き合った端部支持体と、
ｂ）第１および第２の患者支持体であって、前記端部支持体の夫々１つに枢動可能に接続される外端と、内端と、を夫々有する第１および第２の患者支持体と
を備え、
ｃ）前記患者支持体の前記内端は、ヒンジ継手によってヒンジ接続されており、
ｄ）前記第１および第２の端部支持体の少なくとも一方は、一方の患者支持体を、その端部支持体に対して複数の角度配向で位置決めするように作動可能な角度アクチュエータを備え、
前記装置は、更に、
ｅ）前記第１および第２の患者支持体の一方と係合する胴部並進器と、
ｆ）前記患者支持体が複数の角度配向で位置決めされる場合に、前記患者支持体の相対的移動に応じて前記胴部並進器を前記患者支持体に沿って選択的に位置決めする態様で、前記ヒンジ継手と前記胴部並進器とを接続するリンク機構と
を備える装置。
【請求項１７】
請求項１６に記載の患者支持装置であって、
前記リンク機構は、更に、制御ロッドを備える
患者支持装置。
【請求項１８】
請求項１６に記載の患者支持装置であって、
前記リンク機構は、更に、ケーブルを備える
患者支持装置。
【請求項１９】
請求項１６に記載の患者支持装置であって、
前記リンク機構は、前記胴部並進器を前記患者支持体に沿って選択的に位置決めするように作動可能なアクチュエータを備える
患者支持装置。
【請求項２０】
医療行為中に患者を支持するための装置であって、
ａ）第１および第２の向き合った垂直方向に調節可能な端部支持体と、
ｂ）第１および第２の患者支持部分であって、患者支持部分アクチュエータによって前記端部支持体の夫々１つに直接的に接続される外端と、内端と、をそれぞれ有し、前記内端の各々が、間隔が隔てられた一対のヒンジによって空間的に接続される、第１および第２の患者支持部分と、
ｃ）前記第１および第２の患者支持部分のうちの一方と係合する患者並進器であって、前記並進器を前記患者支持部分に沿って選択的に位置決めするように作動可能な並進器アクチュエータ機構を有する患者並進器と
を備える装置。
【請求項２１】
請求項２０に記載の、医療行為中に患者を支持するための装置であって、
ａ）前記並進器アクチュエータは、前記並進器と端部支持体との間に位置決めされる
装置。
【請求項２２】
請求項２０または請求項２１に記載の、医療行為中に患者を支持するための装置であって、
ａ）前記部分アクチュエータは、片持ち梁式に持ち上げおよび位置決めを行うように構成されている
装置。
【請求項２３】
医療行為中に患者を支持するための装置であって、
ａ）第１および第２の向き合った端部支持体と、
ｂ）第１および第２の患者支持体であって、持ち上げ−位置決めアクチュエータによって前記端部支持体の夫々１つに接続された外端と、内端と、をそれぞれ有する患者支持体と
を備え、
ｃ）前記患者支持体の前記内端の各々は、間隔が隔てられた一対のヒンジ継手によってヒンジ接続されており、
ｄ）前記第１および第２の端部支持体の少なくとも一方は、前記患者支持体の一方を、その端部支持体に対して複数の角度配向で位置決めするように作動可能な角度アクチュエータを備え、
前記装置は、更に、
ｅ）前記第１および第２の患者支持体の一方と係合する胴部並進器と、
ｆ）前記患者支持体が複数の角度配向で位置決めされるときに、前記患者支持体の相対的移動に応じて前記胴部並進器を前記患者支持体に沿って選択的に位置決めする態様で、前記胴部並進器を追加のアクチュエータに接続するリンク機構と
を備える装置。
【請求項２４】
請求項２３に記載の患者支持装置であって、
ａ）前記リンク機構は、更に、制御ロッドを備える
装置。
【請求項２５】
請求項２３または請求項２４に記載の患者支持装置であって、
ａ）前記リンク機構は、前記胴部並進器を前記患者支持体に沿って選択的に位置決めするように作動可能であり、実質的に前記並進器と前記端部支持体との間に位置決めされるアクチュエータを備える
装置。
【請求項２６】
請求項２３ないし請求項２５のいずれか一項に記載の患者支持装置であって、
ａ）前記端部支持体は、垂直方向に並進可能である
装置。
【請求項２７】
請求項２３ないし請求項２６のいずれか一項に記載の患者支持装置であって、
ａ）前記並進器は、取り外し自在である
装置。
【請求項２８】
請求項１に記載の装置であって、
ａ）前記支持アクチュエータ機構は、患者支持体の各々の前記外端を、前記端部支持体の夫々１つに直接的に接続する
装置。
【請求項２９】
請求項２ないし請求項１９のいずれか一項に記載の装置であって、
ａ）前記角度アクチュエータは、患者支持体の各々の前記外端を、前記端部支持体の夫々１つに直接的に接続する
装置。
【請求項３０】
医療行為中に患者を支持し、位置決めするための装置であって、
ａ）第１および第２の向き合った端部支持体と、
ｂ）前記第１の端部支持体と前記第２の端部支持体との間で延びる患者支持体であって、一対の外端と、内側部分と、を有する患者支持体と
を備え、
ｃ）前記患者支持体の前記外端の各々は、前記端部支持体のそれぞれ１つとの外側関節連結部を有し、
ｄ）前記患者支持体の前記内側部分は、前記内側部分と機械的には接続されない内側非連結関節を有し、
ｅ）前記端部支持体の一方は、前記患者支持体を、他方の前記患者支持体構造に対して複数の角度配向で選択的に位置決めするように作動可能な角度形成機構を備え、
ｆ）前記装置は、前記角度形成機構の作動と協調して、前記第１の端部支持体を前記第２の端部支持体の方へ、および、前記第２の端部支持体から離れる方へ、選択的にシフトするように作動可能な長さ方向並進補償機構を備え、
前記患者支持体の前記内側部分は、一対の内端を備える
装置。
【請求項３１】
医療行為中に患者を支持し、位置決めするための装置であって、
ａ）第１および第２の向き合った端部支持体と、
ｂ）前記第１の端部支持体と前記第２の端部支持体との間で延びる患者支持体であって、一対の外端と、内側部分と、を有する患者支持体と
を備え、
ｃ）前記患者支持体の前記外端の各々は、前記端部支持体のそれぞれ１つとの外側関節連結部を有し、
ｄ）前記患者支持体の前記内側部分は、内側関節連結部を有し、
ｅ）前記端部支持体の一方は、前記患者支持体を、他方の前記患者支持体構造に対して複数の角度配向で選択的に位置決めするように作動可能な角度形成機構を備え、
ｆ）前記装置は、前記角度形成機構の作動と協調して、前記第１の端部支持体を前記第２の端部支持体の方へ、および、前記第２の端部支持体から離れる方へ、選択的にシフトするように作動可能な長さ方向並進補償機構を備え、
前記第１および第２の端部支持体は、第１および第２のベース部材のそれぞれの上に取り付けられ、
前記第１および第２のベース部材の一方は、前記長さ方向並進補償機構に接続され、
ｇ）前記装置は、前記第１の端部支持体と前記第２の端部支持体とを接続するレールを備え、
ｈ）長さ方向並進補償機構は、前記第１および前記第２のベース部材の一方の位置を前記レールに対してシフトさせるように作動し、それによって、前記第１の端部支持体と前記第２の端部支持体と距離を変化させる
装置。
【請求項３２】
請求項３１に記載の装置であって、
ａ）前記角度形成機構は、前記患者支持体の角度配向を検知する複数の角度センサを備え、
ｂ）コンピュータが前記角度センサに接続され、
ｃ）前記角度センサは、前記患者支持体の前記角度配向に関するデータを前記コンピュータに伝達し、
ｄ）前記コンピュータは、前記角度センサによって検知される前記角度配向と協働して、前記長さ方向並進補償機構の作動を制御する
装置。
【請求項３３】
請求項３２に記載に装置であって、
前記端部支持体の一方は、前記患者支持体の前記外端の一方と接続される横方向シフト機構を備える
装置。
【請求項３４】
請求項３２に記載の装置であって、
前記端部支持体は、さらに、
ａ）垂直方向支持コラムであって、前記支持コラムを選択的に上昇および下降させるように作動可能な複数のリフトアームセグメントを含む垂直方向支持コラムと、
ｂ）前記コラムにシフト可能に取り付けられる水平方向支持部材と
を備え、
ｃ）前記水平方向支持部材は、前記横方向シフト機構および前記角度形成機構に接続され、
ｄ）前記水平方向支持部材は、前記横方向シフト機構および前記角度形成機構を選択的に最大限上昇および下降させるために、前記コラム上で上方に向けて、および、下方に向けて、選択的にシフトするためのリフトサブ機構を備える
装置。
【請求項３５】
医療行為中に患者を支持し、位置決めするための装置であって、
ａ）第１および第２の向き合った端部支持体と、
ｂ）前記第１の端部支持体と前記第２の端部支持体との間で延びる患者支持体であって、一対の外端と、内側部分と、を有する患者支持体と
を備え、
ｃ）前記患者支持体の前記外端の各々は、前記端部支持体のそれぞれ１つとの外側関節連結部を有し、
ｄ）前記患者支持体の前記内側部分は、内側関節連結部を有し、
ｅ）前記端部支持体の一方は、前記患者支持体を、他方の前記患者支持体構造に対して複数の角度配向で選択的に位置決めするように作動可能な角度形成機構を備え、
前記装置は、
ｆ）前記角度形成機構の作動と協調して、前記第１の端部支持体を前記第２の端部支持体の方へ、および、前記第２の端部支持体から離れる方へ、選択的にシフトするように作動可能な長さ方向並進補償機構と、
ｇ）前記患者支持体と係合され、前記患者支持体の上方への角度形成に応じて前記内側関節連結部の方に移動可能であるとともに、前記患者支持体の下方への角度形成に応じて前記内側関節連結部から離れる方に移動可能な胴部並進器と
を備える装置。
【請求項３６】
医療行為中に患者を支持するための装置であって、
ａ）第１および第２の向き合った端部支持体を有するベースを備え、
前記端部支持体の各々は、接続サブアッセンブリを備え、
ｂ）前記装置は、第１および第２の患者支持体を備え、
前記第１および第２の患者支持体の各々は、端部支持体のそれぞれに回転可能に接続される外端と、向き合った内端と、を有し、
外端の各々は、それぞれの接続サブアッセンブリによって前記第１および第２の端部支持体のうちの一方に連結され、
ｃ）前記ベースは、前記第１および第２の患者支持体の一方の、選択可能であり調和されたリフト、角度形成およびロールを提供するように作動可能な構成を備え、
それによって、前記患者支持体は、前記ベースに対して複数の選択可能な角度配向で位置決め可能であるとともに、前記第１の患者支持体の前記内端は、前記第２の患者支持体の前記内端から選択された距離のところで位置決めされ、
ｄ）前記第１および第２の端部支持体の一方は、それぞれの患者支持体を上昇および下降させるように作動可能なリフト機構と、前記患者支持体の一方をそれぞれの端部支持体に対して複数の角度配向で作動可能な角度形成機構と、それぞれの患者支持体を傾斜させるように作動可能なロール機構と、を備え、
前記装置は、
ｅ）前記患者支持体の前記内端を選択された距離のところに維持するように作動可能な長さ方向並進補償機構と、
ｆ）前記第１および第２の患者支持体の一方と係合される胴部並進器と
を備え、
前記胴部並進器は、前記角度配向の変化に応じて前記胴部並進器を前記患者支持体に沿って選択的かつ調和的に位置決めするための胴部アクチュエータを備え、それによって、前記胴部並進器の位置を前記角度配向と調和させる
装置。
【請求項３７】
医療行為中に患者を支持し、位置決めするための装置であって、
ａ）間隔が隔てられて向き合った第１および第２の端部支持体と、
ｂ）前記第１の端部支持体と前記第２の端部支持体との間で延びる患者支持体であって、外端と内端とを有する頭部端部分およびフット端部分を有する患者支持体と
を備え、
前記内端は、間隔が隔てられた一対のヒンジによって接続され、
ｃ）前記患者支持体の前記外端の各々は、前記端部支持体のそれぞれ１つとの外側関節連結部を有し、
ｄ）前記端部支持体の一方は、前記頭部端部分を、前記フット端部分に対して複数の角度配向で選択的に位置決めするように作動可能な角度形成機構を備え、
ｅ）前記装置は、前記頭部端部分の前記外端の近くに取り付けられるアクチュエータであって、前記頭部端部分に対して摺動可能な胴部並進器と係合されるアクチュエータを備え、
前記胴部並進器は、前記患者支持体の前記頭部端部分と前記フット端部分との間での上方への角度配向に応じて、前記胴部並進器を前記ヒンジの方へ移動させるように摺動可能である
装置。
【請求項３８】
請求項３７に記載の装置であって、
さらに、前記角度形成機構の作動と協調して、前記第１の端部支持体を前記第２の端部支持体の方へ、および、前記第２の端部支持体から離れる方へ、選択的にシフトするように作動可能な長さ方向並進補償機構を備える
装置。